(57)【要約】【課題】敷地外周部の温度上昇を抑制することができ、快適な居住環境を形成することが可能な温度上昇抑制システムを提供することを目的とする。【解決手段】建物１の開口部２に面する敷地外周部３に、保水性能・浸透性能を有するブロック材１１，２１，３１が配置されており、このブロック材１１，２１，３１には、このブロック材１１，２１，３１に水を供給する給水管１２，２２，３２が設けられており、この給水管１２，２２，３２は、この給水管に水を供給する供給手段と接続されていることを特徴とする温度上昇抑制システム。これにより、温度の上昇が抑制された敷地外周部を通過する外気を、建物の開口部から建物の内部へと流入させることができる。【選択図】図１
2009281076.tif 000002
【特許請求の範囲】
【請求項１】
建物の開口部に面する敷地外周部に、保水性能・浸透性能を有するブロック材が配置されており、このブロック材には、このブロック材に水を供給する給水管が設けられており、この給水管は、この給水管に水を供給する供給手段と接続されていることを特徴とする温度上昇抑制システム。
【請求項２】
請求項１に記載の温度上昇抑制システムにおいて、
前記敷地外周部に、前記ブロック材によって構築される塀が、前記開口部に対向して立設されていることを特徴とする温度上昇抑制システム。
【請求項３】
請求項１または２に記載の温度上昇抑制システムにおいて、
前記敷地外周部に、この敷地外周部の地面に前記ブロック材を敷設することによってテラス床が形成されていることを特徴とする温度上昇抑制システム。
【請求項４】
請求項２または３に記載の温度上昇抑制システムにおいて、
前記塀は、前記ブロック材を複数積み重ねることによって構築されており、
これら各ブロック材には、これら各ブロック材を、前記塀の厚さ方向に沿って貫通する通風孔がそれぞれ形成されていることを特徴とする温度上昇抑制システム。
【請求項５】
請求項２または３に記載の温度上昇抑制システムにおいて、
前記塀は、前記ブロック材を、所定の間隔をあけて複数並設することによって構築されていることを特徴とする温度上昇抑制システム。
【請求項６】
請求項１〜５のいずれか一項に記載の温度上昇抑制システムにおいて、
前記ブロック材の表面は凹凸状に形成されていることを特徴とする温度上昇抑制システム。
【請求項７】
請求項１〜６のいずれか一項に記載の温度上昇抑制システムにおいて、
前記給水管に供給される水は、風呂水等の生活排水が利用されていることを特徴とする温度上昇抑制システム。
【請求項８】
請求項７に記載の温度上昇抑制システムにおいて、
前記風呂水等の生活排水は、この生活排水を濾過する浄化手段によって浄化されていることを特徴とする温度上昇抑制システム。
【発明の詳細な説明】
【技術分野】
【０００１】
本発明は、敷地外周部の温度上昇を抑制する温度上昇抑制システムに関する。
【背景技術】
【０００２】
ヒートアイランド現象を抑制することを目的として、建築物の屋上やベランダ、テラス等に多孔質セラミックス及び散水管を敷設したものがある（例えば、特許文献１参照）。
【特許文献１】特開２００３−１０５８８３号公報
【発明の開示】
【発明が解決しようとする課題】
【０００３】
ところで、特に夏場などの温暖な時期において、建物周囲の敷地外周部の温度が上昇すると、この敷地外周部で暖められた外気が、例えば窓等の開口部から建物内に流入してしまうという問題があった。そこで、上記のような多孔質セラミックスを敷地外周部に配置して、敷地外周部の温度上昇を抑制したいという要望があった。
しかし、このような多孔質セラミックスは保水性が不十分であるため、温度上昇の抑制効果の面で不十分であった。
【０００４】
本発明の課題は、敷地外周部の温度上昇を抑制することができ、快適な居住環境を形成することが可能な温度上昇抑制システムを提供することを目的とする。
【課題を解決するための手段】
【０００５】
請求項１に記載の発明は、例えば図１〜図１１に示すように、建物１の開口部２に面する敷地外周部３に、保水性能・浸透性能を有するブロック材１１，２１，３１（１１Ａ，２１Ａ，２１Ｂ）が配置されており、このブロック材１１，２１，３１（１１Ａ，２１Ａ，２１Ｂ）には、このブロック材１１，２１，３１（１１Ａ，２１Ａ，２１Ｂ）に水を供給する給水管１２，２２，３２が設けられており、この給水管１２，２２，３２は、この給水管に水を供給する供給手段と接続されていることを特徴とする。
【０００６】
なお、前記ブロック材１１，２１，３１（１１Ａ，２１Ａ，２１Ｂ）としては、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリートを型枠に入れて固めたものが挙げられる。
【０００７】
請求項１に記載の発明によれば、前記給水管１２，２２，３２は、この給水管１２，２２，３２に水を供給する供給手段と接続されているので、この供給手段から供給される水を、前記給水管１２，２２，３２から前記ブロック材１１，２１，３１（１１Ａ，２１Ａ，２１Ｂ）へと給水し、前記ブロック材１１，２１，３１（１１Ａ，２１Ａ，２１Ｂ）に水を十分に浸透させて保持させることができる。
また、水は蒸発するに際して所定の熱量を周囲から奪う性質を備えていることから、前記ブロック材１１，２１，３１（１１Ａ，２１Ａ，２１Ｂ）に浸透して保持された水が蒸発する際は、このブロック材１１，２１，３１（１１Ａ，２１Ａ，２１Ｂ）の周囲の熱を奪いながら蒸発することとなるので、このブロック材１１，２１，３１（１１Ａ，２１Ａ，２１Ｂ）が配置された敷地外周部３の温度の上昇を抑制したり、温度を低下させたりすることができる。したがって、温度の上昇が抑制された敷地外周部３を通過する外気を、前記建物１の開口部２から建物１の内部へと流入させることができる。
これによって、特に夏場などの温暖な時期において、比較的温度の低い外気を敷地外周部３から建物１の内部に効率良く取り入れることができるので、快適な居住環境を形成することが可能となる。
【０００８】
請求項２に記載の発明は、例えば図１〜図１１に示すように、請求項１に記載の温度上昇抑制システムにおいて、
前記敷地外周部３に、前記ブロック材１１，２１（１１Ａ，２１Ａ，２１Ｂ）によって構築される塀１０，２０が、前記開口部２に対向して立設されていることを特徴とする。
【０００９】
請求項２に記載の発明によれば、前記敷地外周部３に、前記ブロック材１１，２１（１１Ａ，２１Ａ，２１Ｂ）によって構築される塀１０，２０が、前記開口部２に対向して立設されているので、前記給水管１２，２２から給水された水が蒸発する際は、前記塀１０，２０の周囲の熱を奪いながら蒸発することとなるので、この塀１０，２０の周囲の温度の上昇を抑制したり、温度を低下させたりすることができる。したがって、温度の上昇が抑制された塀１０，２０の周囲を通過する外気を、前記建物１の開口部２から建物１の内部へと流入させることができる。
これによって、特に夏場などの温暖な時期において、比較的温度の低い外気を敷地外周部３から建物１の内部に効率良く取り入れることができるので、より快適な居住環境を形成することが可能となる。
【００１０】
請求項３に記載の発明は、例えば図１〜図１０に示すように、請求項１または２に記載の温度上昇抑制システムにおいて、
前記敷地外周部３に、この敷地外周部３の地面に前記ブロック材３１を敷設することによってテラス床３０が形成されていることを特徴とする温度上昇抑制システム。
【００１１】
請求項３に記載の発明によれば、前記敷地外周部３に、この敷地外周部３の地面に前記ブロック材３１を敷設することによってテラス床３０が形成されているので、前記給水管３２から給水された水が蒸発する際は、前記テラス床３０の周囲の熱を奪いながら蒸発することとなるので、このテラス床３０の周囲の温度の上昇を抑制したり、温度を低下させたりすることができる。したがって、温度の上昇が抑制されたテラス床３０の周囲を通過する外気を、前記建物１の開口部２から建物１の内部へと流入させることができる。
これによって、特に夏場などの温暖な時期において、比較的温度の低い外気を敷地外周部３から建物１の内部に効率良く取り入れることができるので、さらに快適な居住環境を形成することが可能となる。
【００１２】
請求項４に記載の発明は、例えば図１〜図３，図８に示すように、請求項２または３に記載の温度上昇抑制システムにおいて、
前記塀１０は、前記ブロック材１１（１１Ａ）を複数積み重ねることによって構築されており、
これら各ブロック材１１（１１Ａ）には、これら各ブロック材１１（１１Ａ）を、前記塀２０の厚さ方向に沿って貫通する通風孔１１ａがそれぞれ形成されていることを特徴とする。
【００１３】
請求項４に記載の発明によれば、前記塀１０を構築する各ブロック材１１（１１Ａ）に、これら各ブロック材１１（１１Ａ）を、前記塀１０の厚さ方向に沿って貫通する通風孔１１ａがそれぞれ形成されていることから、この通風孔１１ａから風が通りやすくなるとともに、外気と接するブロック材１１（１１Ａ）の表面積が広くなるので、前記ブロック材１１（１１Ａ）に保持させた水を、より効率良く蒸発させることができる。
【００１４】
請求項５に記載の発明は、例えば図４〜図６，図９および図１０に示すように、請求項２または３に記載の温度上昇抑制システムにおいて、
前記塀２０は、前記ブロック材２１（２１Ａ，２１Ｂ）を、所定の間隔をあけて複数並設することによって構築されていることを特徴とする。
【００１５】
請求項５に記載の発明によれば、前記塀２０は、前記ブロック材２１（２１Ａ，２１Ｂ）を、所定の間隔をあけて複数並設することによって構築されていることから、これら複数のブロック材２１（２１Ａ，２１Ｂ）間から風が通りやすくなるとともに、外気と接するブロック材２１（２１Ａ，２１Ｂ）の表面積が広くなるので、前記ブロック材２１（２１Ａ，２１Ｂ）に保持させた水を、より効率良く蒸発させることができる。
【００１６】
請求項６に記載の発明は、例えば図８〜図１０に示すように、請求項１〜５のいずれか一項に記載の温度上昇抑制システムにおいて、
前記ブロック材１１Ａ，２１Ａ，２１Ｂの表面は凹凸状に形成されていることを特徴とする。
【００１７】
請求項６に記載の発明によれば、前記ブロック材１１Ａ，２１Ａ，２１Ｂの表面は凹凸状に形成されていることから、外気と接するブロック材１１Ａ，２１Ａ，２１Ｂの表面積が広くなるので、前記ブロック材１１Ａ，２１Ａ，２１Ｂに保持させた水を、より一層効率良く蒸発させることができる。
【００１８】
請求項７に記載の発明は、例えば図１〜図１１に示すように、請求項１〜６のいずれか一項に記載の温度上昇抑制システムにおいて、
前記給水管１２，２２，３２に供給される水は、風呂水等の生活排水が利用されていることを特徴とする。
【００１９】
請求項７に記載の発明によれば、前記給水管１２，２２，３２に供給される水は、風呂水等の生活排水が利用されていることから、上水道のみを給水源とした場合に比して水の利用量を低減できるので、コストの低減を図ることができる。
さらに、前記給水管１２，２２，３２に供給される水として例えば風呂水を使用した場合に、この風呂水が温かいうちであれば効率良く蒸発させることができるので、前記ブロック材１１，２１，３１の周囲の温度の上昇を、効率良く抑制したり、低下させたりすることができる。
【００２０】
請求項８に記載の発明は、例えば図１１に示すように、前記風呂水等の生活排水は、この生活排水を濾過する浄化手段４０ｃによって浄化されていることを特徴とする。
【００２１】
請求項８に記載の発明によれば、前記風呂水等の生活排水は、この生活排水を濾過する浄化手段４０ｃによって浄化されているので、この風呂水等の生活排水の塵芥・毛髪・雑菌等を除去できる。これによって、前記給水管１２，２２，３２の詰まりや、前記ブロック材１１，２１，３１の汚れ等を防ぐことができる。
【発明の効果】
【００２２】
本発明によれば、ブロック材の内部に配設される給水管は、この給水管に水を供給する供給手段と接続されているので、この供給手段から供給される水を、給水管からブロック材へと給水し、ブロック材に水を十分に浸透させて保持させることができる。
また、水は蒸発するに際して所定の熱量を周囲から奪う性質を備えていることから、ブロック材に浸透して保持された水が蒸発する際は、このブロック材の周囲の熱を奪いながら蒸発することとなるので、このブロック材が配置された敷地外周部の温度の上昇を抑制したり、温度を低下させたりすることができる。したがって、温度の上昇が抑制された敷地外周部を通過する外気を、建物の開口部から建物の内部へと流入させることができる。
これによって、特に夏場などの温暖な時期において、比較的温度の低い外気を敷地外周部から建物の内部に効率良く取り入れることができるので、快適な居住環境を形成することが可能となる。
【発明を実施するための最良の形態】
【００２３】
以下、図面を参照して本発明の実施の形態について説明する。
【００２４】
本実施の形態の温度上昇抑制システムは、図１〜図１１に示すように、建物１の開口部２に面する敷地外周部３に、保水性能・浸透性能を有するブロック材１１，２１，３１が配置されており、このブロック材１１，２１，３１には、このブロック材１１，２１，３１に水を供給する給水管１２，２２，３２が設けられており、この給水管１２，２２，３２は、この給水管に水を供給する供給手段と接続されているものである。
【００２５】
なお、前記建物１は、敷地に構築されており、この敷地において前記建物１が構築された部分を除く建物周囲のスペースを前記敷地外周部３と称している。
この敷地外周部３は、図示はしないが、例えば玄関に位置する部分が玄関ポーチとなっていたり、道路に近い部分が駐車スペースとなっていたり、建物の周囲を歩行するための通路となっていたり、建物の南側等に庭が設けられるなどして構成されている。
また、この建物１は、図２および図１１に示すように、部屋１ａを備えており、この部屋１ａは、前記敷地外周部３に面する前記開口部２を備えている。また、この開口部２にはサッシ窓２ａが取り付けられている。
【００２６】
また、本実施の形態のブロック材１１，２１，３１としては、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリートを型枠に入れて固めたものが挙げられる。なお、軽石は産地により乾燥比重が多少ばらつくが、大きな相違はない。
【００２７】
また、配合比を容積で表すと、軽石（乾燥比重が０．４）７０〜８５容積％と、ポルトランドセメント３０〜１５容積％との配合物に対して水２０〜３０容積％を散布して混練するものである。
さらに、このように軽石を骨材とするコンクリートの含水比重は、セメントと砕石等の天然骨材とポルトランドセメントのみを使用したコンクリートの約６０％であり、乾燥比重は、約５０％である。
【００２８】
保水性能については、軽石を骨材として使用したブロック材１１，２１，３１の含水比重は約１２００ｋｇ／ｍ２であり、およそ３００ｋｇ／ｍ３以上の水分を保水できる。また、浸透性能については、軽石で保水しきれなくなった水分を透過させるので、天然骨材を使用したコンクリートと同等の性能を得ることができる。
すなわち、このような軽石を骨材とするブロック材１１，２１，３１を、例えば舗装面の舗装材として用いた場合、例えばブロック材１１，２１，３１を５０ｍｍの厚みで舗装すると、含水重量は６０ｋｇ／ｍ２であり、乾燥比重は４５ｋｇ／ｍ２であるから１５リットルの水を保水することが可能となり、優れた性能を有している。
【００２９】
一方、前記給水管１２，２２，３２に水を供給する供給手段は、給水源４０と、この給水源４０と前記給水管１２，２２，３２とを接続するとともに、これら給水管１２，２２，３２に水を送水する送水管４１と、これら給水管１２，２２，３２への水の供給を制御する制御手段とを備えている。
【００３０】
また、前記給水管１２，２２，３２には、この給水管１２，２２，３２の長さ方向に沿って図示しない複数の給水孔が形成されており、これら給水孔から水が流出するようになっている。
【００３１】
また、前記給水源４０は、例えば上水道や雨水等を貯留する貯留タンク、図１１に示す風呂４０ａ等であり、適宜選択される。
また、前記送水管４１は土中に埋設されて、前記ブロック材１１，２１，３１に到達するまで延出している。
さらに、この送水管４１には、前記制御手段によって制御される止水栓（図示せず）が設けられている。なお、この止水栓は手動でも開け閉めできるとしてもよい。
【００３２】
そして、このような供給手段は、前記給水管１２，２２，３２への水の供給を制御する制御手段を備えているので、この制御手段によって前記ブロック材１１，２１，３１への水の供給を適切に制御しながら、前記給水源４０から、前記送水管４１を介して、前記給水管１２，２２，３２へと、水を確実に供給することができる。したがって、前記ブロック材１１，２１，３１に水を確実に浸透させて保持させることができる。
また、前記送水管４１によって前記給水源４０からの水の供給を集約することができるので、効率が良い。
【００３３】
ここで、前記敷地外周部３に、塀１０を立設する実施の形態について説明する。なお、以上において説明した同一部材については同一符号を付して説明を省略する。
すなわち、図１〜図３に示すように、前記敷地外周部３に、前記ブロック材１１によって構築される塀１０が、前記開口部２に対向して立設されている。
【００３４】
前記ブロック材１１は、図１に示すように、正面視略正方形状に形成されており、このブロック材１１には、図１〜図３に示すように、このブロック材１１を、前記塀１０の厚さ方向に沿って貫通する通風孔１１ａが形成されている。
これによって、前記通風孔１１ａから風が通りやすくなるとともに、外気と接するブロック材１１の表面積が広くなるので、前記ブロック材１１に保持させた水を、より効率良く蒸発させることができる。
【００３５】
また、図３（ａ），（ｂ）に示すように、このブロック材１１の上面および下面と、両側面とには配管溝１１ｂがそれぞれ形成されており、前記給水管１２は、これら配管溝１１ｂに沿って縦横に配管されることによって前記ブロック材１１に設けられている。また、この給水管１２は、図示はしないが、前記送水管４１に接続されている。
【００３６】
なお、前記給水管１２は、上部に位置するブロック材１１にのみ設けるようにしてもよい。すなわち、水を上部に位置するブロック材１１に浸透させ、保水しきれなくなった分を透過させて下方に流し、下部に位置するブロック材に浸透させることができるので、前記給水管１２を配管する手間を省略できる。
【００３７】
そして、図１に示すように、以上のような形状のブロック材１１を、下部が地中に埋設された基台１０ａ上に複数積み重ねることによって、前記塀１０が構築されている。
この塀１０を構築する際は、図３（ａ）に示すように、上下方向または横方向に隣り合うブロック材１１の隣り合う配管溝１１ｂ間に鉄筋１０ｂを縦横に配設し、さらに、前記隣り合う配管溝１１ｂ間にモルタル等を充填することによって、前記隣り合うブロック材１１同士を接合させている。
【００３８】
なお、前記鉄筋１０ｂは、前記基台１０ａから突出するようにして複数設けられるとともに、上方に向かって突出する複数の鉄筋１０ｂに直交するようにして横方向に鉄筋１０ｂが複数架設されており、これによって、前記上下方向または横方向に隣り合うブロック材１１の隣り合う配管溝１１ｂ間に鉄筋１０ｂを縦横に配設できるようになっている。
【００３９】
そして、以上のように、前記敷地外周部３に、前記ブロック材１１によって構築される塀１０が、前記開口部２に対向して立設されていることから、前記給水管１２から給水された水が蒸発する際は、前記塀１０の周囲の熱を奪いながら蒸発することとなるので、この塀１０の周囲の温度の上昇を抑制したり、温度を低下させたりすることができる。したがって、温度の上昇が抑制された塀１０の周囲を通過する外気を、前記建物１の開口部２から建物１の内部へと流入させることができる。
【００４０】
なお、前記塀１０は、前記敷地外周部３の外周縁部に沿って立設されている。また、このような塀１０と前記建物１との間の地面に、前記ブロック材３１によって構築されるテラス床３０（後述する）を敷設し、これら塀１０およびテラス床３０によって相乗的に、前記敷地外周部３の温度の上昇を抑制するようにしてもよい。
【００４１】
次に、前記敷地外周部３に、塀２０を立設する実施の形態について説明する。なお、以上において説明した同一部材については同一符号を付して説明を省略する。
すなわち、図４〜図６に示すように、前記敷地外周部３に、前記ブロック材２１によって構築される塀２０が、前記開口部２に対向して立設されている。
【００４２】
前記ブロック材２１は、図４に示すように、上下方向に長尺な直方体状に形成されている。また、図５に示すように、前記給水管２２は、前記ブロック材２１の内部に、このブロック材２１の上下方向に沿って配設されるようにして設けられている。
また、この給水管２２は、図６に示すように、前記ブロック材２１の下端部から突出する接続部２２ａを備えており、この接続部２２ａは、継手部４１ａを介して前記送水管４１と接続されている。
【００４３】
そして、図４に示すように、以上のような形状のブロック材２１を、所定の間隔をあけて複数並設することによって、前記塀２０が構築されている。
これによって、これら複数のブロック材２１間から風が通りやすくなるとともに、外気と接するブロック材２１の表面積が広くなるので、前記ブロック材２１に保持させた水を、より効率良く蒸発させることができる。
【００４４】
また、以上のように、前記敷地外周部３に、前記ブロック材２１によって構築される塀２０が、前記開口部２に対向して立設されていることから、前記給水管２２から給水された水が蒸発する際は、前記塀２０の周囲の熱を奪いながら蒸発することとなるので、この塀２０の周囲の温度の上昇を抑制したり、温度を低下させたりすることができる。したがって、温度の上昇が抑制された塀２０の周囲を通過する外気を、前記建物１の開口部２から建物１の内部へと流入させることができる。
【００４５】
なお、前記塀２０は、前記敷地外周部３の外周縁部に沿って立設されている。また、このような塀２０と前記建物１との間の地面に、前記ブロック材３１によって構築されるテラス床３０（後述する）を敷設し、これら塀２０およびテラス床３０によって相乗的に、前記敷地外周部３の温度の上昇を抑制するようにしてもよい。
【００４６】
次に、前記敷地外周部３の地面に、テラス床３０を敷設する実施の形態について説明する。なお、以上において説明した同一部材については同一符号を付して説明を省略する。
すなわち、図２および図４に示すように、前記敷地外周部３の地面に、前記ブロック材３１によって構築されるテラス床３０が敷設されている。
【００４７】
前記ブロック材３１は、図７（ａ）に示すように、直方体状に形成されている。また、前記給水管３２は、前記ブロック材３１の内部に、このブロック材３１の長さ方向に沿って配設されるようにして設けられている。
また、この給水管３２は、図６に示すように、前記ブロック材３１の表面から突出する接続部３２ａを備えており、図示はしないが、この接続部３２ａは前記送水管４１と接続されている。
【００４８】
そして、図２および図４に示すように、以上のような形状のブロック材３１を前記敷地外周部３の地面に敷設することによって、前記敷地外周部３にテラス床３０が形成されている。
これによって、前記給水管３２から給水された水が蒸発する際は、前記テラス床３０の周囲の熱を奪いながら蒸発することとなるので、このテラス床３０の周囲の温度の上昇を抑制したり、温度を低下させたりすることができる。したがって、温度の上昇が抑制されたテラス床３０の周囲を通過する外気を、前記建物１の開口部２から建物１の内部へと流入させることができる。
【００４９】
なお、このようなテラス床３０を、例えば前記敷地外周部３の外周縁部に沿って立設される塀１０，２０と前記建物１との間の地面に設けることにより、これら塀１０，２０およびテラス床３０によって相乗的に、前記敷地外周部３の温度の上昇を抑制できるので好ましい。
【００５０】
また、前記テラス床３０を形成する際は、隣り合うブロック材３１の給水管３２同士を接続可能としてもよく、この場合は、前記給水管３２を前記ブロック材３１の内部に配設する際の形態を、図７に示す形態以外のものに適宜変更してもよい。
【００５１】
一方、前記ブロック材１１，２１として、表面が凹凸状に形成されたもの（ブロック材１１Ａ，２１Ａ，２１Ｂ等）を使用してもよいものとする。
すなわち、図８に示すように、前記ブロック材１１Ａは、表面および裏面が凹凸状に形成されている。また、図示はしないが、前記通風孔１１ａの内周面を凹凸状に形成してもよいものとする。
また、図９に示すように、前記ブロック材２１Ａは、互いに隣接するブロック材２１Ａ同士の対向しあう面が凹凸状に形成されている。また、図１０に示すように、前記ブロック材２１Ｂの表面に形成される凹凸が丸みを帯びて形成されていてもよいものとする。
【００５２】
さらに、図示はしないが、前記ブロック材３１として、上面が凹凸状に形成されたものを使用してもよい。つまり、このように前記敷地外周部３の地面に敷設されるブロック材３１の表面が凹凸状に形成されることによって、雨天時等において滑り止め効果を発揮する場合がある。
【００５３】
そして、このように前記ブロック材１１Ａ，２１Ａ，２１Ｂの表面は凹凸状に形成されていることから、外気と接するブロック材１１Ａ，２１Ａ，２１Ｂの表面積が広くなるので、前記ブロック材１１Ａ，２１Ａ，２１Ｂに保持させた水を、より一層効率良く蒸発させることができる。
また、前記ブロック材３１として前記上面が凹凸状に形成されたブロック材を用いたとしても、このような効果を発揮することができる。
【００５４】
次に、前記給水管１２，２２，３２に供給される水として、風呂水等の生活排水を利用する際の実施の形態について説明する。なお、以上において説明した同一部材については同一符号を付して説明を省略する。
【００５５】
ここで、前記ブロック材１１，２１，３１に水を供給する際に、上水道のみを給水源４０としてしまうとコストの上昇を招いてしまう場合があった。
そこで、前記給水管１２，２２，３２に供給される水として、図１１に示すように、風呂水等の生活排水を利用する。すなわち、前記給水源４０を、風呂や台所からの生活排水としている。本実施の形態においては、例えば、風呂４０ａを前記給水源４０として利用するものとして説明する。
【００５６】
また、このように風呂水を利用する際は、この風呂水を濾過する浄化手段４０ｃによって浄化することが望ましい。
前記浄化手段４０ｃは、例えば風呂４０ａと連結して設けられる給湯装置４０ｂに内蔵されている。この給湯装置４０ｂは、前記風呂４０ａ内の水を循環させるとともに温度管理を行いつつ、前記浄化手段４０ｃによって浄化できるようになっている。
【００５７】
また、前記浄化手段４０ｃの近傍には、この浄化手段４０ｃによって浄化された風呂水を前記送水管４１に供給するポンプ４０ｄが設けられている。
また、このポンプ４０ｄは、前記制御手段によって制御可能となっており、浄化された風呂水を適切に利用できるようになっている。
【００５８】
このように前記風呂水は、この風呂水を濾過する浄化手段４０ｃによって浄化されているので、この風呂水に含まれる塵芥・毛髪・雑菌等を除去できる。これによって、前記給水管１２，２２，３２の詰まりや、前記ブロック材１１，２１，３１の汚れ等を防ぐことができる。
【００５９】
そして、以上のように前記給水管１２，２２，３２に供給される水として、風呂水等の生活排水が利用されていることから、上水道のみを給水源とした場合に比して水の利用量を低減できるので、コストの低減を図ることができる。
また、風呂水と合わせて雨水を利用してもよく、これによって、さらに水の利用量を低減できる。この時、雨水も殺菌・消毒することが好ましい。
【００６０】
さらに、前記給水管１２，２２，３２に供給される水として、以上のように風呂水を使用した場合に、この風呂水が温かいうちであれば効率良く蒸発させることができるので、前記ブロック材１１，２１，３１の周囲の温度の上昇を、効率良く抑制したり、低下させたりすることができる。
なお、冬場などの寒冷な時期において、前記給水管１２，２２，３２に供給する前に風呂水が冷めてしまうような場合は、例えばラジエーター等を用いて水を再度温めるようにしてもよい。
【００６１】
本実施の形態によれば、前記給水管１２，２２，３２は、この給水管１２，２２，３２に水を供給する供給手段と接続されているので、この供給手段から供給される水を、前記給水管１２，２２，３２から前記ブロック材１１，２１，３１へと給水し、前記ブロック材１１，２１，３１に水を十分に浸透させて保持させることができる。
また、水は蒸発するに際して所定の熱量を周囲から奪う性質を備えていることから、前記ブロック材１１，２１，３１に浸透して保持された水が蒸発する際は、このブロック材１１，２１，３１の周囲の熱を奪いながら蒸発することとなるので、このブロック材１１，２１，３１が配置された敷地外周部３の温度の上昇を抑制したり、温度を低下させたりすることができる。したがって、温度の上昇が抑制された敷地外周部３を通過する外気を、前記建物１の開口部２から建物１の内部へと流入させることができる。
これによって、特に夏場などの温暖な時期において、比較的温度の低い外気を建物１の内部に効率良く取り入れることができるので、快適な居住環境を形成することが可能となる。
【図面の簡単な説明】
【００６２】
【図１】本発明の実施の形態に係る塀およびテラス床の一例を示す斜視図である。
【図２】敷地外周部の周囲の構造を示す側断面図である。
【図３】図１の塀を構成するブロック材を示しており、（ａ）は隣接するブロック材の平断面図であり、（ｂ）はブロック材の側断面斜視図である。
【図４】本発明の実施の形態に係る塀およびテラス床の一例を示す斜視図である。
【図５】図４の塀を構成するブロック材を示す平断面図である。
【図６】図４の塀を構成するブロック材に設けられた給水管と、この給水管に送水管が接続された状態を示す斜視図である。
【図７】本発明の実施の形態に係るテラス床を構成するブロック材を示しており、（ａ）は斜視図であり、（ｂ）は側断面図である。
【図８】ブロック材の表面が凹凸状に形成された状態の一例を示す斜視図である。
【図９】ブロック材の表面が凹凸状に形成された状態の一例を示す斜視図である。
【図１０】ブロック材の表面が凹凸状に形成された状態の一例を示す斜視図である。
【図１１】風呂水等の生活排水を利用する形態を示す概略図である。
【符号の説明】
【００６３】
１  建物
２  開口部
３  敷地外周部
１０  塀
１１  ブロック材
１２  給水管
２０  塀
２１  ブロック材
２２  給水管
３０  テラス床
３１  ブロック材
３２  給水管
【図１】
2009281076.tif 000003
【図２】
2009281076.tif 000004
【図３】
2009281076.tif 000005
【図４】
2009281076.tif 000006
【図５】
2009281076.tif 000007
【図６】
2009281076.tif 000008
【図７】
2009281076.tif 000009
【図８】
2009281076.tif 000010
【図９】
2009281076.tif 000011
【図１０】
2009281076.tif 000012
【図１１】
2009281076.tif 000013